【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
浴室内の浴槽に湯水を供給するための給湯器と、
前記浴室内に設置され、前記給湯器を操作するための第１リモコンと、
前記浴室外に設置され、前記第１リモコンと通信し、前記給湯器を操作するための第２リモコンとを備え、
前記第２リモコンは、前記浴槽への入浴者の入浴時間が第１の基準時間を超えたとき、前記第１リモコンに対して、前記入浴者の安否を確認するための安否確認指令を送信するように構成され、
前記第１リモコンは、前記安否確認指令を受信すると、前記入浴者の安否情報の応答を促す報知を行なうように構成され、
前記第２リモコンは、さらに、前記安否確認指令を送信してから第２の基準時間内における安否応答に基づく前記安否情報を報知するように構成される、風呂装置。
【請求項２】
前記第２リモコンは、前記入浴時間が前記第１の基準時間を超えた場合において、前記安否確認を要求する操作を受け付け可能に構成され、
前記第２リモコンは、前記安否確認を要求する操作を受け付けたとき、前記安否確認指令を送信する、請求項１に記載の風呂装置。
【請求項３】
前記第２リモコンは、前記安否確認を中断する操作を受け付け可能に構成され、
前記第２リモコンは、前記安否応答を受信したとき、前記第２の基準時間内に前記安否応答が受信されないとき、または、前記安否確認を中断する操作を受け付けたときには、前記安否確認を終了する、請求項１または２に記載の風呂装置。
【請求項４】
前記第１リモコンおよび前記第２リモコンの少なくとも一方は、前記第２リモコンにおける安否確認機能を無効化する操作を受け付け可能に構成される、請求項１から３のいずれか１項に記載の風呂装置。
【請求項５】
前記第１リモコンおよび前記第２リモコンの少なくとも一方は、前記第１の基準時間の設定を受け付け可能に構成される、請求項１から４のいずれか１項に記載の風呂装置。
【請求項６】
前記第１リモコン、前記第２リモコンおよび前記給湯器のいずれかは、通信網を介して通信端末と通信が可能に構成され、
前記第１リモコンおよび前記第２リモコンは、前記入浴時間が前記第１の基準時間を超えたときに前記通信端末から前記安否確認指令を受信した場合には、前記安否応答を促す報知を行なうように構成され、
前記第１リモコンおよび前記第２リモコンは、さらに、前記第２の基準時間内における前記安否応答に基づく前記安否情報を前記通信端末に送信するように構成される、請求項１から５のいずれか１項に記載の風呂装置。
【請求項７】
前記通信端末は、安否確認を中断する操作を受け付け可能に構成され、
前記通信端末は、前記安否応答を受信したとき、前記安否確認指令を送信してから前記第２の基準時間内に前記安否応答が受信されないとき、または、前記安否確認を中断する操作を受け付けたときには、前記安否確認を終了する、請求項６に記載の風呂装置。
【請求項８】
前記第１リモコン、前記第２リモコンおよび前記通信端末の少なくとも１つは、前記第２リモコンおよび前記通信端末における安否確認機能を無効化する操作を受け付け可能に構成される、請求項６または７に記載の風呂装置。
【請求項９】
前記通信端末は、前記第１の基準時間の設定を受け付け可能に構成される、請求項６から８のいずれか１項に記載の風呂装置。
【請求項１０】
前記第１リモコン、前記第２リモコンおよび前記給湯器のいずれかは、通信網を介して第１通信端末および第２通信端末と通信可能に構成され、
前記第１リモコンおよび前記第２リモコンは、前記入浴時間が前記第１の基準時間を超えたときに前記第１通信端末から前記安否確認指令を受信した場合には、前記安否応答を促す報知を行なうとともに、前記第２通信端末に前記安否応答を促す報知を行なわせるように構成され、
前記第１リモコンおよび前記第２リモコンは、さらに、前記安否確認指令を受信してから前記第２の基準時間内における、前記第１リモコン、前記第２リモコンおよび前記第２通信端末のいずれかにおける前記安否応答の有無に基づく前記安否情報を前記第１通信端末に送信するように構成される、請求項１から５のいずれか１項に記載の風呂装置。
【請求項１１】
浴室内の浴槽に湯水を供給するための給湯器と、
前記給湯器を操作するためのリモコンとを備え、
前記リモコンは、通信網を介して通信端末と通信可能に構成され、
前記通信端末から、入浴者の安否を確認するための安否確認指令を受信したときには、前記リモコンは、前記入浴者の安否情報の応答を促す報知を行うように構成され、
前記リモコンはさらに、前記応答に基づいた前記安否情報を前記通信端末に送信する、風呂装置。
【請求項１２】
前記リモコンは、前記安否確認指令を受信してから基準時間内に前記応答を受け付けた場合に、前記応答に基づいた前記安否情報を前記通信端末に送信する、請求項１１に記載の風呂装置。
【請求項１３】
前記リモコンは、前記浴室内に設置され、表示部および音声出力部を含み、
前記安否確認指令を受信したときには、前記リモコンは、前記表示部および前記音声出力部の少なくともいずれかを用いて、前記入浴者に対して前記報知を行う、請求項１１または１２に記載の風呂装置。
【請求項１４】
前記リモコンは、操作部をさら含み、
前記リモコンは、前記操作部が前記応答を受け付けたときには、前記応答に基づいた前記安否情報を前記通信端末に送信する、請求項１３に記載の風呂装置。
【請求項１５】
前記給湯器は、前記通信網を介して前記通信端末と通信可能に構成され、
前記給湯器は、
前記浴槽内の湯水の水位を検出する水位センサと、
コントローラとを含み、
前記コントローラは、前記水位センサによる水位検出値を用いて前記浴槽への入浴および前記浴槽からの退浴を検知するとともに、当該検知に基づいて入浴時間を計測するように構成され、
前記コントローラは、前記入浴時間を示す情報を前記通信端末に送信する、請求項１１に記載の風呂装置。
【請求項１６】
風呂装置と通信端末とを備える風呂システムであって、
前記風呂装置は、
浴室内の浴槽に湯水を供給するための給湯器と、
通信網を介して前記通信端末と通信可能に構成され、前記給湯器を操作するためのリモコンと、
前記浴槽への入浴者の入浴時間を示す情報を前記通信端末に送信する手段と、
前記入浴者の安否を確認するための安否確認指令を受信したときに、前記リモコンを用いて、前記入浴者の安否情報の応答を促す報知を行う手段と、
前記応答に基づいた前記安否情報を前記通信端末に送信する手段とを含み、
前記通信端末は、
前記入浴時間を示す情報を受信する手段と、
前記入浴時間が第１の基準時間を超えた場合に、前記安否確認指令を前記風呂装置に送信する手段と、
前記安否情報を受信し、受信した前記安否情報を報知する手段とを含む、風呂システム。
【請求項１７】
浴室内の浴槽への入浴者の安否を確認する安否確認プログラムであって、
前記安否確認プログラムは、風呂装置が備えるリモコンと通信網を介して通信可能に構成された通信端末に、
前記浴槽への入浴者の入浴時間を示す情報を受信するステップと、
前記入浴時間が第１の基準時間を超えた場合に、前記入浴者の安否を確認するための安否確認指令を前記リモコンに送信するステップと、
前記安否確認指令に対する、前記入浴者の安否情報の応答を受信するステップと、
前記応答に基づいた前記安否情報を報知するステップとを実行させる、安否確認プログラム。
【請求項１８】
前記安否確認指令を送信した時点から第２の基準時間内に前記応答を受信できない場合には、前記応答がない旨を報知するステップをさらに実行させる、請求項１７に記載の安否確認プログラム。
【手続補正２】
【補正対象書類名】明細書
【補正対象項目名】発明の名称
【補正方法】変更
【補正の内容】
【発明の名称】風呂装置、風呂システムおよび安否確認プログラム